(57)【特許請求の範囲】
【請求項１】
光源と、前記光源の下方に配置されて開口を有する矩形の照明用フレーム枠に、ガラス繊維束が織成されたガラス繊維原反に樹脂シートが積層された光拡散用ガラス繊維シートが前記光源と反対側の開口に取り付けられた照明カバーと、を備える照明部と、
空調エアが導入される導入口と、前記照明カバーに隣接されて前記導入口の下方に配置される通気パネルと、を備える空調部と、
を有し、
前記通気パネルは、
開口を有する矩形の空調用フレーム枠にガラス繊維織物が前記導入口と反対側の開口に取り付けられており、
前記ガラス繊維織物は、ガラス繊維束が織成されたガラス繊維原反が当該ガラス繊維原反全体に対して１５重量％以上かつ３５重量％以下のフッ素樹脂で目止めされて、通気度が２５ｃｍ３／ｃｍ２／Ｓｅｃ以上かつ２５０ｃｍ３／ｃｍ２／Ｓｅｃ以下であることを特徴とする、天井装置。
【請求項２】
前記照明部と前記空調部とを仕切る仕切部材が設けられており、
前記仕切部材は、透光性を有し、
前記通気パネルの前記ガラス繊維織物は、全光線透過率が４０％以上であることを特徴とする、請求項１に記載の天井装置。
【請求項３】
前記仕切部材は、ガラス繊維織物に樹脂を含浸させてシート状に形成したガラス繊維補強樹脂シートで、全光線透過率が４０％以上であることを特徴とする、請求項２に記載の天井装置。
【発明の詳細な説明】
【技術分野】
【０００１】
この発明は、照明機能と空調機能とを兼ね備える天井装置に関する。
【背景技術】
【０００２】
従来から、ギャラリーやエントランスなどでは、天井面に取り付けた多数の蛍光管が視認されない柔らかい面照明が望まれており、特に近年では、天井面の広範囲に亘って全面一体型照明として機能する照明装置が求められている。この要求に対し、特許文献１では、矩形状の金属製フレーム枠にガラス繊維織物を主体とする透光性の光拡散用ガラス繊維シートを張って照明カバーとすることが提案されている。
【０００３】
一方、このような天井面には、照明装置の他に、空調装置からダクトを介して送られてきた空気を天井内のチャンバから室内に送り出す通気パネルが取り付けられているが、この通気パネルは、不燃性が要求されることから、特許文献２に示すように、鋼板などの金属で作られている。
【先行技術文献】
【特許文献】
【０００４】
【特許文献１】特許第４３５９９６７号公報
【特許文献２】特開平１１−２３７１０８号公報
【発明の概要】
【発明が解決しようとする課題】
【０００５】
しかしながら、天井に、全面一体型照明として機能する特許文献１に記載の照明カバーと特許文献２に記載の鋼板製の通気パネルとを並設すると、照明カバーと通気パネルの素材が異なるため、統一感がなく見栄えが悪くなるという問題がある。また、この通気パネルは鋼板製であることから、重く施工性が悪いという問題があり、しかも、湿度の影響や経年劣化などで錆びる虞があり、更に見栄えが悪くなるという問題がある。
【０００６】
そこで、本発明は、光拡散用ガラス繊維シートを用いた照明カバーに通気パネルを並設しても天井の見栄えがよく、しかも、通気パネルの施工性が向上して錆の心配もなくなる天井装置を提供することを目的とする。
【課題を解決するための手段】
【０００７】
本発明に係る天井装置は、光源と、光源の下方に配置されて開口を有する矩形の照明用フレーム枠に、ガラス繊維束が織成されたガラス繊維原反に樹脂シートが積層された光拡散用ガラス繊維シートが光源と反対側の開口に取り付けられた照明カバーと、を備える照明部と、空調エアが導入される導入口と、照明カバーに隣接されて導入口の下方に配置される通気パネルと、を備える空調部と、を有し、通気パネルは、開口を有する矩形の空調用フレーム枠にガラス繊維織物が導入口と反対側の開口に取り付けられており、ガラス繊維織物は、ガラス繊維束が織成されたガラス繊維原反が当該ガラス繊維原反全体に対して１５重量％以上かつ３５重量％以下のフッ素樹脂で目止めされて、通気度が２５ｃｍ３／ｃｍ２／Ｓｅｃ以上かつ２５０ｃｍ３／ｃｍ２／Ｓｅｃ以下であることを特徴とする。
【０００８】
本発明に係る天井装置によれば、通気パネルにガラス繊維織物を用いることで、不燃性の条件を充足しながら、軽量化により施工性を向上させることができるとともに、錆の心配がなくなる。しかも、ガラス繊維織物を構成するガラス繊維原反を１５重量％以上かつ４０重量％以下の不燃性を有するフッ素樹脂で目止めすることで、経糸と緯糸とのズレによるガラス繊維織物の変形を防止しつつ目抜き構造として通気性を確保することができ、通気度を２５ｃｍ３／ｃｍ２／Ｓｅｃ以上かつ２５０ｃｍ３／ｃｍ２／Ｓｅｃ以下とすることで、室内から空調部の内部を隠しながら空調装置から送られてきた空調エアを適切に室内に送り出すことができる。また、照明カバーと通気パネルとは同じガラス繊維を用いているため、異質な素材で構成した場合に比べて、照明カバーと通気パネルを並設しても見た目の統一感が図れて天井の見栄えがよい。更に、通気パネルの空調用フレーム枠に対するガラス繊維織物の取り付けは、照明カバーの照明用フレーム枠に対する光拡散用ガラス繊維シートの取り付けと同様の方法で行うことができるため、施工効率が向上する。
【０００９】
更に、照明部と空調部とを仕切る仕切部材が設けられており、仕切部材は、透光性を有し、通気パネルのガラス繊維織物は、全光線透過率が４０％以上であることが好ましい。このように、仕切部材を設けることで、空調エアの流路と光源とを分離することができるため、光源の熱に影響されることなく空調を行うことができる。そして、この仕切部材を透光性とすることで、光源から出射された光を通気パネルのガラス繊維織物に照射させることができ、このガラス繊維織物の全光線透過率を４０％以上とすることで、ガラス繊維織物を十分な照度で発光させることができる。これにより、より広範囲に亘って全面一体型照明として機能させることができる。
【００１０】
また、仕切部材は、ガラス繊維織物に樹脂を含浸させてシート状に形成したガラス繊維補強樹脂シートで、全光線透過率が４０％以上であることが好ましい。このように、仕切部材にガラス繊維補強樹脂シートを用いることで、不燃性の条件を充足しながら、軽量化により施工性を向上させることができ、しかも、その全光線透過率を４０％以上とすることで、通気パネルのガラス繊維織物を十分に発光させることができる。
【発明の効果】
【００１１】
本発明によれば、光拡散用ガラス繊維シートを用いた照明カバーに通気パネルを並設しても天井の見栄えがよく、しかも、通気パネルの施工性が向上して錆の心配もなくなる。
【図面の簡単な説明】
【００１２】
【図１】実施形態に係る天井装置を示す概略斜視図である。
【図２】実施形態に係る天井装置の断面図である。
【図３】図２に示したＩＩＩ−ＩＩＩ線断面図である。
【発明を実施するための形態】
【００１３】
以下、図面を参照して、本発明に係る天井装置の好適な実施形態について詳細に説明する。なお、全図中、同一または相当部分には同一符号を付し、重複する説明を省略する。
【００１４】
図１は、実施形態に係る天井装置を示す概略斜視図である。図１に示すように、本実施形態に係る天井装置１は、ギャラリーやエントランス等の広い天井面に複数個配列されて、照明機能と空調機能とを兼ね備えるものである。
【００１５】
図２は、本実施形態に係る天井装置の断面図であり、図３は、図２に示したＩＩＩ−ＩＩＩ線断面図である。図２及び図３に示すように、天井装置１は、１つの照明部１０と２つの空調部２０とが設けられるケース３が、図示しない建物躯体に吊り下げられた吊下ボルト２に固定されることで、天井面に配置されている。
【００１６】
ケース３は、亜鉛メッキ鋼板やアルミ等の一般的な金属材が用いられて、下面に開口を有する箱状に形成されている。
【００１７】
照明部１０は、ケース３の天井面に着脱可能に複数本配列された蛍光管などの光源１１と、光源１１の下方に配置されて光源１１から出射された光を拡散して面照明として機能する照明カバー１２と、を備えている。この照明カバー１２は、開口を有する矩形の照明用フレーム枠１３と、照明用フレーム枠１３に取り付けられる光拡散用ガラス繊維シート１４と、を備えている。
【００１８】
照明用フレーム枠１３は、光拡散用ガラス繊維シート１４を保持するものであり、例えば亜鉛メッキ鋼板やアルミ等の一般的な金属材が用いられる。照明用フレーム枠１３は、ケース３の天井面から吊り下げられた図示しない固定枠に対して開閉可能に取り付けられており、この固定枠に対して開閉することで、光源１１の取替えや、光拡散用ガラス繊維シート１４の取替えなどが可能となっている。
【００１９】
光拡散用ガラス繊維シート１４は、ガラス繊維束で構成される経糸と緯糸とで織成したガラス繊維原反を樹脂で目止めし、この目止めしたガラス繊維原反の一方面側に樹脂シートを積層したものである。目止めの樹脂及び樹脂シートは、不燃性及び防汚性の観点からフッ素樹脂又はシリコン樹脂であることが好ましく、後述する通気パネル２２のガラス繊維織物２５との見た目の統一感を図る観点からフッ素樹脂であることが更に好ましい。この光拡散用ガラス繊維シート１４としては、例えば、日東紡績株式会社製のライトシェードに用いられているＷ１８００Ｇ２１３などがある。
【００２０】
そして、照明カバー１２は、光源１１の反対側から光拡散用ガラス繊維シート１４が照明用フレーム枠１３の外側面に巻き込まれることにより、光拡散用ガラス繊維シート１４が照明用フレーム枠１３における光源１１と反対側の開口に張設されている。このため、室内側からは、照明カバー１２の光拡散用ガラス繊維シート１４のみが見え、照明用フレーム枠１３が見えないようになっている。
【００２１】
空調部２０は、ケース３における照明部１０の両側に配置されており、ケース３に形成された空調エアの導入口２１と、照明カバー１２に隣接されて導入口２１の下方に配置される通気パネル２２と、照明部１０と空調部２０とを仕切る仕切部材２３と、を備えている。
【００２２】
導入口２１は、図示しない空調装置から図示しないダクトを介して送られてきた空調エアをケース３内に導入するものであり、空調部２０を形成するケース３の側壁や天壁に形成されている。
【００２３】
通気パネル２２は、室内から空調部２０内部を隠しつつ、導入口２１からケース３内に導入された空調エアを室内に送り出すものであり、開口を有する矩形の空調用フレーム枠２４と、この空調用フレーム枠２４に取り付けられるガラス繊維織物２５と、を備えている。
【００２４】
空調用フレーム枠２４は、ガラス繊維織物２５を保持するものであり、例えば亜鉛メッキ鋼板やアルミ等の一般的な金属材が用いられる。空調用フレーム枠２４は、ケース３の天井面から吊り下げられた図示しない固定枠に対して開閉可能に取り付けられており、この固定枠に対して開閉することで、仕切部材２３の取替えや、ガラス繊維織物２５の取替えなどが可能となっている。
【００２５】
ガラス繊維織物２５は、ガラス繊維束で構成される経糸と緯糸とを織成したガラス繊維原反がフッ素樹脂で目止めされた目抜き構造の織物である。ガラス繊維原反の目止めは、例えば、経糸及び緯糸のガラス繊維束にフッ素樹脂を含浸させることで行ってもよく、経糸及び緯糸のガラス繊維束の表面にフッ素樹脂を覆うことで行ってもよい。
【００２６】
ガラス繊維織物２５の通気度は、室内に空調エアを適切に送り出すために、２５ｃｍ３／ｃｍ２／Ｓｅｃ以上かつ２５０ｃｍ３／ｃｍ２／Ｓｅｃ以下であることが好ましく、３０ｃｍ３／ｃｍ２／Ｓｅｃ以上かつ２２０ｃｍ３／ｃｍ２／Ｓｅｃ以下であることが更に好ましく、４０ｃｍ３／ｃｍ２／Ｓｅｃ以上かつ２００ｃｍ３／ｃｍ２／Ｓｅｃ以下であることが特に好ましい。通気度は、２５ｃｍ３／ｃｍ２／Ｓｅｃより小さいと通気性が悪くなり十分な空調効果が得られなくなり、２５０ｃｍ３／ｃｍ２／Ｓｅｃより大きいと室内から空調部２０の内部が見えてしまい見栄えが悪い。
【００２７】
通気度を２５〜２５０ｃｍ３／ｃｍ２／Ｓｅｃとするためには、目止めを行うフッ素樹脂の割合、空隙率、１ｍ２当たりの原反重量、１ｍ２当たりの製品重量、厚さ、織密度を以下のように設定することが好ましい。なお、原反は、フッ素樹脂で目止めされていないガラス繊維原反を示し、製品は、ガラス繊維原反がフッ素樹脂で目止めされたガラス繊維織物２５を示している。
【００２８】
目止めを行うフッ素樹脂の割合は、ガラス繊維原反全体に対して１５重量％以上かつ４０重量％以下であることが好ましく、２０重量％以上かつ３５重量％以下であることが更に好ましい。このフッ素樹脂の割合は、１５重量％より小さいと十分な目止めが行えなくなり、４０重量％より大きいとフッ素樹脂がガラス繊維織物２５の目抜き部分（間隙）を埋めてしまい２５ｃｍ３／ｃｍ２／Ｓｅｃ以上の通気度を確保することが困難になる。
【００２９】
空隙率は、２％以上かつ３５％以下であることが好ましく、３％以上かつ３０％以下であることが更に好ましく、４％以上かつ２５％以下であることが特に好ましい。空隙率は、２％より小さいと２５ｃｍ３／ｃｍ２／Ｓｅｃ以上の通気度を確保することが困難になり、３５％より大きいと室内から空調部２０の内部が見えてしまい見栄えが悪い。
【００３０】
１ｍ２当たりの原反重量は、１２０ｇ／ｍ２以上かつ３９０ｇ／ｍ２以下とすることが好ましく、１４０ｇ／ｍ２以上かつ３７０ｇ／ｍ２以下とすることが更に好ましい。
【００３１】
１ｍ２当たりの製品重量は、１５０ｇ／ｍ２以上かつ６００ｇ／ｍ２以下とすることが好ましく、１９０ｇ／ｍ２以上かつ５５０ｇ／ｍ２以下とすることが更に好ましい。
【００３２】
厚さは、０．１０ｍｍ以上かつ１．００ｍｍ以下であることが好ましく、０．１３ｍｍ以上かつ０．８０ｍｍ以下であることが更に好ましく、０．１５ｍｍ以上かつ０．７５ｍｍ以下であることが特に好ましい。
【００３３】
織密度は、経糸及び緯糸ともに、１５本／２５ｍｍ以上かつ４０本／２５ｍｍであることが好ましく、２０本／２５ｍｍ以上かつ３５本／２５ｍｍであることが更に好ましい。
【００３４】
なお、織構造は、特に制限されるものでは無いが、平織又は模紗織が好ましい。なお、模紗織の場合は、経糸及び緯糸がともに３本１組の織構造であることが好ましい。ガラス繊維織物２５を構成する経糸及び緯糸の番手は、上記の各条件によって適宜設定されるが、６０ｔｅｘ以上かつ１７０ｔｅｘ以下であることが好ましく、６５ｔｅｘ以上かつ１６０ｔｅｘ以下であることが更に好ましく、７５ｔｅｘ以上かつ１５０ｔｅｘ以下であることが特に好ましい。
【００３５】
そして、通気パネル２２は、導入口２１の反対側からガラス繊維織物２５が空調用フレーム枠２４の外側面に巻き込まれることにより、ガラス繊維織物２５が空調用フレーム枠２４における導入口２１と反対側の開口に張設されている。これにより、室内側からは、通気パネル２２のガラス繊維織物２５のみが見えて空調用フレーム枠２４が見えなくなるため、たとえ空調用フレーム枠２４が錆びても、この錆を室内側から隠すことができる。
【００３６】
仕切部材２３は、照明部１０と空調部２０とを仕切ることで、空調部２０の空間内に導入口２１から導入された空調エアを溜め込ませるチャンバを形成し、導入口２１から導入された空調エアの圧力をチャンバ内で均一化して室内に送り出すものである。
【００３７】
仕切部材２３は、通気性がなく、又は、通気性がないと同視できる程度の通気性を有する。そして、この仕切部材２３は、ケース３の天井に延設されたチャネル２６と通気パネル２２の照明カバー１２側端縁とに張設されて、ケース３の全幅（図３における左右方向の幅）を覆っており、照明部１０と空調部２０との間の空気の出入りを遮断している。これにより、空調エアの流路と光源１１とを分離することができるため、光源１１から発生する熱により空調エアの温度が変動するのを防止することができる。
【００３８】
また、仕切部材２３は、透光性を有しており、不燃性の観点からガラスが好ましく、軽量性の観点からアクリルが好ましく、不燃性及び軽量性の観点からガラス繊維織物に樹脂を含浸させてシート状に形成したガラス繊維補強樹脂シートが好ましい。これにより、仕切部材２３は、光源１１から出射された光を透過させるため、光源１１から出射された光が通気パネル２２のガラス繊維織物２５に照射されてガラス繊維織物２５が発光する。
【００３９】
仕切部材２３の全光線透過率は、４０％以上であることが好ましく、６０％以上であることが更に好ましく、８０％であることが特に好ましい。仕切部材２３の全光線透過率は、４０％より小さいとガラス繊維織物２５の発光光量が小さくなり全面一体型照明として機能が不十分となる。また、ガラス繊維織物２５の全光線透過率は、４０％以上であることが好ましく、５０％以上であることが更に好ましい。なお、仕切部材２３を透過した光によるガラス繊維織物２５の発光光量は照明計画などにより適宜設定されるが、通気パネル２２を全面一体型照明として機能させるために、仕切部材２３とガラス繊維織物２５とを合わせた全光線透過率は１６％以上であることが好ましい。
【００４０】
このように、本実施形態に係る天井装置１によれば、通気パネル２２にガラス繊維織物２５を用いることで、不燃性の条件を充足しながら、軽量化により施工性を向上させることができるとともに、錆の心配がなくなる。しかも、ガラス繊維織物２５を構成するガラス繊維原反を１５重量％以上かつ４０重量％以下の不燃性を有するフッ素樹脂で目止めすることで、経糸と緯糸とのズレによるガラス繊維織物２５の変形を防止しつつ、目抜き構造として通気性を確保することができ、通気度を２５ｃｍ３／ｃｍ２／Ｓｅｃ以上かつ２５０ｃｍ３／ｃｍ２／Ｓｅｃ以下とすることで、室内から空調部２０の内部を隠しながら空調装置から送られてきた空調エアを適切に室内に送り出すことができる。また、照明カバー１２と通気パネル２２とは同じガラス繊維を用いるとともにガラス繊維束を同じフッ素樹脂で目止しているため、異質な素材で構成した場合に比べて、照明カバー１２と通気パネル２２を並設しても見た目の統一感が図れて天井の見栄えがよい。更に、通気パネル２２の空調用フレーム枠２４に対するガラス繊維織物２５の取り付けは、照明カバー１２の照明用フレーム枠１３に対する光拡散用ガラス繊維シート１４の取り付けと同様にビス止め等の一般的な取り付け方法で行うことができるため、施工効率が向上する。
【００４１】
また、仕切部材２３を設けることで、空調エアの流路と光源１１とを分離することができるため、光源１１の熱に影響されることなく空調を行うことができる。そして、この仕切部材２３を透光性とすることで、光源１１から出射された光を通気パネル２２のガラス繊維織物２５に照射させることができ、このガラス繊維織物２５の全光線透過率を４０％以上とすることで、ガラス繊維織物２５を十分な照度で発光させることができる。これにより、より広範囲に亘って全面一体型照明として機能させることができる。
【００４２】
また、仕切部材２３にガラス繊維補強樹脂シートを用いることで、不燃性の条件を充足しながら、軽量化により施工性を向上させることができ、しかも、その全光線透過率を４０％以上とすることで、通気パネル２２のガラス繊維織物２５を十分に発光させることができる。
【００４３】
以上、本発明の好適な実施形態について説明したが、本発明は上記実施形態に限定されるものではなく、種々の変形が可能である。例えば、上記実施形態では、仕切部材２３を設けるものとして説明したが、光源１１の熱が空調エアに影響しなければ、特に仕切部材２３を設ける必要がない。
【００４４】
また、上記実施形態において、仕切部材２３は、透光性を有するものとして説明したが、通気パネル２２のガラス繊維織物２５を発光させる必要がなければ、透光性を有さないものとしてもよい。
【００４５】
また、上記実施形態において、仕切部材２３は、通気性がないものとして説明したが、光源１１の熱が空調エアに影響しない範囲で通気性があるものとしてもよい。
【００４６】
また、上記実施形態において、チャネル２６は、仕切部材２３とともにケース３の全幅を覆うものとして説明したが、空調エアの光源１１による熱の影響が問題にならなければ、チャネル２６を小型化したり穴を形成したりすることで、光源１１から発生した熱を照明部１０から空調部２０に逃がすようにしてもよい。
【００４７】
また、上記実施形態において、照明用フレーム枠１３及び空調用フレーム枠２４は、ケース３の天井面から吊り下げられた図示しない固定枠に取り付けるものとして説明したが、どのような手段により取り付けてもよい。
【符号の説明】
【００４８】
１…天井装置、２…吊下ボルト、３…ケース、１０…照明部、１１…光源、１２…照明カバー、１３…照明用フレーム枠、１４…光拡散用ガラス繊維シート、２０…空調部、２１…導入口、２２…通気パネル、２３…仕切部材、２４…空調用フレーム枠、２５…ガラス繊維織物、２６…チャネル。
【図１】
0005585463.tif 000002
【図２】
0005585463.tif 000003
【図３】
0005585463.tif 000004